(57)【特許請求の範囲】
【請求項１】
複数のユニットが相対位置を変更可能に接続されると共に複数の係止位置で係止可能にされた携帯端末装置において、
前記ユニット間の係止位置を検出する係止位置検出部と、
前記係止位置における機能の利用履歴が登録された利用履歴記憶部と、
制御部と、
自携帯端末装置の姿勢を検出する姿勢検出部とを備え、且つ、
前記制御部が、前記姿勢検出部の検出結果に基づいて、自携帯端末装置の姿勢が使用時に取り得る姿勢になっているか否かを判定し、使用時に取り得る姿勢になっている場合には、前記利用履歴記憶部に登録されている機能の利用履歴の内の、前記係止位置検出部で検出された係止位置に対応する機能の利用履歴に基づいて決定した機能を起動し、使用時に取り得る姿勢になっていない場合には、機能の起動処理を行わないことを特徴とする携帯端末装置。
【請求項２】
請求項１記載の携帯端末装置において、
前記制御部は、自携帯端末装置の姿勢が使用時に取り得る姿勢になっているか否かを、自携帯端末装置の長軸方向の地面に対する傾きが所定値以上であるか否かに基づいて判定することを特徴とする携帯端末装置。
【請求項３】
複数のユニットが相対位置を変更可能に接続されると共に複数の係止位置で係止可能にされた携帯端末装置の制御方法であって、
係止位置検出部が、前記ユニット間の係止位置を検出する第１のステップと、
制御部が実行する第２のステップと、
姿勢検出部が、自携帯端末装置の姿勢を検出する第３のステップとを含み、且つ、
前記第２のステップでは、前記姿勢検出部の検出結果に基づいて、自携帯端末装置の姿勢が使用時に取り得る姿勢になっているか否かを判定し、使用時に取り得る姿勢になっている場合には、前記利用履歴記憶部に登録されている機能の利用履歴の内の、前記係止位置検出部で検出された係止位置に対応する機能の利用履歴に基づいて決定した機能を起動し、使用時に取り得る姿勢になっていない場合には、機能の起動処理を行わないことを特徴とする携帯端末装置の制御方法。
【請求項４】
請求項３記載の携帯端末装置の制御方法において、
前記制御部は、自携帯端末装置の姿勢が使用時に取り得る姿勢になっているか否かを、自携帯端末装置の長軸方向の地面に対する傾きが所定値以上であるか否かに基づいて判定することを特徴とする携帯端末装置の制御方法。
【請求項５】
複数の係止位置それぞれにおける機能の利用履歴が登録された履歴記憶部を有し、複数のユニットが相対位置を変更可能に接続されると共に前記複数の係止位置で係止可能にされた携帯端末装置を構成するコンピュータを、
前記複数のユニット間の係止位置を検出する係止位置検出部、
制御部、
自携帯端末装置の姿勢を検出する姿勢検出部として機能させ、且つ、
前記制御部が、前記姿勢検出部の検出結果に基づいて、自携帯端末装置の姿勢が使用時に取り得る姿勢になっているか否かを判定し、使用時に取り得る姿勢になっている場合には、前記利用履歴記憶部に登録されている機能の利用履歴の内の、前記係止位置検出部で検出された係止位置に対応する機能の利用履歴に基づいて決定した機能を起動し、使用時に取り得る姿勢になっていない場合には、機能の起動処理を行わないことを特徴とするプログラム。
【請求項６】
請求項５記載のプログラムにおいて、
前記制御部は、自携帯端末装置の姿勢が使用時に取り得る姿勢になっているか否かを、自携帯端末装置の長軸方向の地面に対する傾きが所定値以上であるか否かに基づいて判定することを特徴とするプログラム。
【発明の詳細な説明】
【技術分野】
【０００１】
本発明は、音声通話機能、テレビ電話機能、カメラ機能などといった様々な機能を搭載した携帯電話機などの携帯端末装置に関し、特に、機能を起動する方法の改良に関する。
【背景技術】
【０００２】
近年、携帯電話機においては機能の多様化が進んでおり、音声通話機能や電子メール機能以外にも、テレビ電話機能、カメラ機能、ブラウザ機能、放送受信機能（テレビ機能等）など様々な機能が搭載されるようになってきている。これに伴い、ユーザがメニュー選択画面から所望の機能を選択する際の操作が煩雑化している。このような状況において、機能選択時の操作を簡易化するための技術が求められている。
【０００３】
この種の従来の技術の一例が特許文献１に記載されている。特許文献１に記載されている携帯電話機は、第１ユニットと、第１ユニットに対してスライド可能に係合された第２ユニットと、スライド可能範囲の途中で第２ユニットを係止する係止手段と、第２ユニットが係止された位置を検出する位置検出手段と、ユーザからの指示に従って係止位置に応じた機能設定を行う機能設定手段と、位置検出手段によって検出された係止位置に応じて、機能設定手段によって設定された機能を起動する機能制御手段とを備えている。
【０００４】
このような構成を有する携帯電話機は、次のように動作する。機能設定手段は、ユーザによって機能設定処理の実行が要求されると、係止位置において起動可能な機能の一覧（例えば、撮影機能、近距離無線通信機能、電子メール機能など）をユーザに提示する。ユーザは、提示された一覧の中から、上記係止位置において起動させる機能を１つ選択する。これにより、機能設定手段は、上記係止位置において起動する機能として、ユーザによって選択された機能（例えば、撮影機能）を設定する。
【０００５】
その後、ユーザが第２ユニットを上記係止位置までスライドすると、そのことが位置検出手段によって検出される。これにより、機能制御手段は、上記係止位置に対応付けて設定されている機能（この例では撮影機能）を起動する。
【０００６】
【特許文献１】特開２００５−２７７４６８号公報
【発明の開示】
【発明が解決しようとする課題】
【０００７】
上記した特許文献１に記載されている携帯電話機によれば、ユーザが第２ユニットを或る係止位置までスライドすることにより、上記係止位置に対してユーザが設定した機能が自動的に起動されるので、スライド操作という簡単な操作を行うだけで、ユーザが希望する機能（設定した機能）を自動的に起動することが可能になる。
【０００８】
しかしながら、特許文献１に記載されている携帯電話機は、第２ユニットが或る係止位置で係止したとき、ユーザによって上記係止位置に対して予め設定されている機能を起動するようにしているため、ユーザが機能設定手段を用いて上記係止位置において起動させる機能を再設定しない限り、上記係止位置において起動させる機能を変えることができなかった。
【０００９】
〔発明の目的〕
そこで、本発明の目的は、ユーザの使用状況の変化に応じて係止位置において起動する機能を自動的に変更することができる携帯端末装置を提供することにある。
【課題を解決するための手段】
【００１０】
本発明にかかる第１の携帯端末装置は、
複数のユニットが相対位置を変更可能に接続されると共に複数の係止位置で係止可能にされた携帯端末装置において、
前記ユニット間の係止位置を検出する係止位置検出部と、
前記係止位置における機能の利用履歴が登録された利用履歴記憶部と、
該利用履歴記憶部に登録されている機能の利用履歴の内の、前記係止位置検出部で検出された係止位置に対応する機能の利用履歴に基づいて起動する機能を決定する制御部とを備えたことを特徴とする。
【００１１】
本発明にかかる第１の携帯端末装置の制御方法は、
複数のユニットが相対位置を変更可能に接続されると共に複数の係止位置で係止可能にされた携帯端末装置の制御方法であって、
係止位置検出部が、前記ユニット間の係止位置を検出する第１のステップと、
制御部が、利用履歴記憶部に登録されている、前記複数の係止位置それぞれにおける機能の利用履歴の内の、前記第１のステップで検出された係止位置に対応する機能の利用履歴に基づいて起動する機能を決定する第２のステップとを含むことを特徴とする。
【００１２】
本発明にかかる第１のプログラムは、
複数の係止位置それぞれにおける機能の利用履歴が登録された履歴記憶部を有し、複数のユニットが相対位置を変更可能に接続されると共に前記複数の係止位置で係止可能にされた携帯端末装置を構成するコンピュータを、
前記複数のユニット間の係止位置を検出する係止位置検出部、
前記履歴記憶部に登録されている機能の利用履歴の内の、前記係止位置検出部で検出された係止位置に対応する機能の利用履歴に基づいて起動する機能を決定する制御部として機能させる。
【発明の効果】
【００１３】
本発明によれば、ユーザの携帯端末装置の利用状況の変化に応じて、係止位置において起動させる機能を自動的に変更することが可能になる。
【発明を実施するための最良の形態】
【００１４】
次に、本発明を実施するための最良の形態について図面を参照して詳細に説明する。
【００１５】
〔本発明の第１の実施例〕
図１及び図２を参照すると、本発明の第１の実施例の携帯端末装置１は、通信機能（通話、メール送受信、インターネット接続）、カメラ機能、テレビ機能などを備え、表示部１０７を有する第１ユニット１０と、操作部１０８を有する第２ユニット２０とがスライド可能に接続されたスライド型の携帯電話機である。
【００１６】
本実施例の携帯端末装置１は、第１、第２のユニット１０、２０と、無線通信部１０１と、放送受信部１０２と、カメラ部１０３と、音声処理部１０４と、送話部として機能するマイクロフォン（マイク）１０５と、受話部として機能するスピーカ１０６と、表示部１０７と、操作部１０８と、状態検出部１０９と、スライドセンサ１１０、１１１と、スピーカ部１１２と、記憶部１１３と、制御部１１４とを備えている。
【００１７】
無線通信部１０１は、アンテナを介して図示しない無線基地局との間で無線により情報を送受信するものであり、第１ユニット１０内に設けられている。
【００１８】
放送受信部１０２は、アンテナを介して受信した放送局（地上局、衛星など）からの放送信号を復調することにより映像データ、音声データ、情報データ等を生成するものであり、第１ユニット１０内に設けられている。
【００１９】
カメラ部１０３は、第２ユニット２０の前面側上部に設けられたテレビ電話用のカメラ１０３ａと、第２ユニットの背面上部に設けられた撮影用のカメラ１０３ｂとから構成されている。
【００２０】
音声処理部１０４は、マイク１０５およびスピーカ１０６を介して入出力された音声信号の処理を行う。
【００２１】
表示部１０７は、画像、図形、文字、機能などを表示する表示機能と、圧力や静電容量などによりユーザの入力操作を関知するスイッチ機能とを兼ね備えたタッチパネル（タッチスクリーン）から構成される。
【００２２】
操作部１０８は、第２ユニット２０の前面上部に設けられたゲーム用のコントロールキー１０８ａと、第２ユニット２０の前面下部に設けられたテンキー１０８ｂと、第２ユニット２０の側面に設けられたシャッタキー１０８ｃとから構成されている。
【００２３】
第１ユニット１０と第２ユニット２０は、図示を省略したスライド機構により、上下方向にスライド可能になっている。また、第２ユニット２０は、図示を省略した係止機構により、第１ユニット１０に対して図２（ａ）〜（ｆ）に示す各位置において係止可能になっている。なお、以下の説明では、図２（ａ）〜（ｆ）に示した位置を係止位置１〜係止位置６と呼ぶ。
【００２４】
スライドセンサ１１０、１１１は、第２ユニット２０の係止位置に応じた検出信号を出力する。スライドセンサ１１０は、第２ユニット２０が係止位置１〜係止位置３で係止された場合、係止位置に応じた検出信号を出力する。また、スライドセンサ１１１は、第２ユニット２０が係止位置４〜係止位置６で係止された場合、係止位置に応じた検出信号を出力する。このようなスライドセンサ１１０、１１１は、例えば、第２ユニット２０の所定位置に組み込まれた磁石と、第１ユニット１０の各係止位置近傍に配置されたホール素子との組み合わせや、第２ユニット２０の所定部分に設けられた凸部と、第１ユニット１０の各係止位置に対応した位置に設けられた押下スイッチとの組み合わせ等により実現できる。
【００２５】
状態検出部１０９は、スライドセンサ１１０、１１１からの検出信号に基づいて、第２ユニット２０の係止位置を示す係止位置情報を出力する。この係止位置情報は、スライドセンサ１１０、１１１から出力される検出信号が変化する毎に出力される。
【００２６】
スピーカ部１１２は、楽音や報知音などの鳴動出力を行う。
【００２７】
記憶部１１３には、電話帳情報、送受信メール情報、発着呼情報、コンテンツ情報、アプリケーションプログラム情報、及び携帯無線端末の諸設定等が格納される。更に、本実施例の記憶部１１３には、履歴テーブルＴ１と、起動機能テーブルＴ２とが格納されている。
【００２８】
履歴テーブルＴ１には、係止位置２〜係止位置６における機能の利用履歴として、ユーザがその係止位置において前回利用した機能の種別が登録されている。図３（ａ）は履歴テーブルＴ１の内容例を示す図であり、この例は、係止位置４においては前回テレビ機能を利用し、係止位置６においては前回メール機能を利用したことを示している。また、この例は、係止位置２、係止位置３、係止位置５においては、機能を利用したことがないことを示している。なお、本実施例では、係止位置１においては、常に、待ち受け機能を起動するようにしているので、履歴テーブルＴ１には、係止位置１に対応する領域は設けられていない。
【００２９】
起動機能テーブルＴ２には、履歴テーブルＴ１に利用履歴が登録されていない場合に起動する機能の種別が格納されている。図３（ｂ）は、起動機能テーブルＴ２の内容例を示す図であり、この例は、係止位置１においては待ち受け機能を、係止位置２においてはテレビ電話機能を、係止位置３においてはゲーム機能を、係止位置４においてはテレビ機能を、係止位置５においてはカメラ機能を、係止位置６においては音声通話機能を起動することを示している。
【００３０】
制御部１１４は、電話機能、メール機能、インターネット(web)接続機能、カメラ機能、テレビ機能、コンテンツ再生機能、その他の端末の有する機能や各部の制御を行う。
【００３１】
〔第１の実施例の動作の説明〕
次に、本実施例の動作について詳細に説明する。
【００３２】
ユーザが、第２ユニット２０を第１ユニット１０に対してスライドさせると、スライドセンサ１１０、１１１から出力される検出信号が変化する。状態検出部１０９では、検出信号に基づいて第２ユニット２０の係止位置を示す係止位置情報を生成して出力する。
【００３３】
制御部１１４は、状態検出部１０９から出力される係止位置情報が変化すると、第２ユニット２０がスライドされたと判定する（図４のステップＳ４１がＹＥＳ）。その後、一定時間、状態検出部１０９から出力される係止位置情報が変化しないことを条件にして、上記係止位置情報によって示される係止位置に第２ユニット２０が係止したと判定する（ステップＳ４２がＹＥＳ）。なお、ステップＳ４１において第２ユニット２０がスライドされたと判定した後、ユーザによって特定キーが操作されたことを条件にして、上記係止位置情報によって示される係止位置に第２ユニット２０が係止したと判定するようにしても良い。
【００３４】
その後、制御部１１４は、履歴テーブルＴ１から第２ユニット２０の係止位置（ステップＳ４２で判定した係止位置）に対応する起動機能種別を入力する（ステップＳ４３）。
【００３５】
そして、履歴テーブルＴ１に第２ユニット２０の係止位置に対応した起動機能種別が登録されている場合（ステップＳ４４がＹＥＳ）は、入力した起動機能種別の機能を起動する（ステップＳ４７）。これに対して、起動機能種別が登録されていない場合（ステップＳ４４がＮＯ）は、起動機能テーブルＴ２から第２ユニット２０の係止位置に対応した起動機能種別を入力し（ステップＳ４５）、更に、履歴テーブルＴ１を更新し（ステップＳ４６）、その後、ステップＳ４５で入力した起動機能種別の機能を起動する（ステップＳ４７）。なお、ステップＳ４６では、履歴テーブルＴ１に設けられている係止位置２〜係止位置６に対応する領域の内の、ステップＳ４２で判定した係止位置と対応する領域に、ステップＳ４５で入力した起動機能種別を上書きする処理を行う。
【００３６】
今、例えば、履歴テーブルＴ１、起動機能テーブルＴ２の内容がそれぞれ図３（ａ）、（ｂ）に示すものであり、ステップＳ４２において、第２ユニット２０が係止位置６に係止したと判定したとすると、制御部１１４は、履歴テーブルＴ１から起動機能種別「メール」を入力し（ステップＳ４３）、メール機能を起動することになる(ステップＳ４４がＹＥＳ、Ｓ４７）。
【００３７】
また、例えば、履歴テーブルＴ１、起動機能テーブルＴ２の内容がそれぞれ図３（ａ）、（ｂ）に示すものであり、ステップＳ４２において、第２ユニット２０が係止位置３で係止したと判定したとすると、制御部１１４は履歴テーブルＴ１から起動機能の入力を試みるが（ステップＳ４３）、履歴テーブルＴ１の係止位置３に対応する領域には、起動機能種別が登録されていないので（ステップＳ４４がＮＯ）、起動機能テーブルＴ２から係止位置３に対応する起動機能種別「ゲーム」を入力し（ステップＳ４５）、更に、履歴テーブルＴ１の係止位置３に対応する領域に起動機能種別「ゲーム」を上書きし（ステップＳ４６）、その後、ゲーム機能を起動することになる（ステップＳ４７）。
【００３８】
制御部１１４では、上記した処理以外にも、図５のフローチャートに示す処理を行っている。制御部１１４は、ユーザによって起動する機能が指示されると（ステップＳ５１がＹＥＳ）、指示された機能を起動する（ステップＳ５２）。その後、制御部１１４は、状態検出部１０９から出力されている係止位置情報に基づいて、第２ユニット２０の係止位置を認識し（ステップＳ５３）、更に、履歴テーブルＴ１を更新する（ステップＳ５４）。なお、ステップＳ５４では、履歴テーブルＴ１に設けられている係止位置２〜係止位置６に対応する領域の内の、ステップＳ５３で認識した係止位置に対応する領域に、ユーザによって起動指示された機能の種別を上書きする処理を行う。
【００３９】
なお、上述した説明では、係止位置２〜係止位置６における機能の利用履歴として、ユーザがその係止位置において前回利用した機能の種別が登録された図３（ａ）に示す履歴テーブルＴ１を用いたが、その代わりに、図６に示すように、係止位置２〜係止位置６における各機能の利用回数が登録された履歴テーブルＴ１ａを使用するようにしても構わない。図６に示した履歴テーブルＴ１ａは、例えば、係止位置４においてはゲーム機能が５回利用され、係止位置６においてはメール機能が１０回、音声通話機能が１回利用されたことを示している。
【００４０】
但し、履歴テーブルＴ１の代わりに図６に示す履歴テーブルＴ１ａを使用するようにした場合には、図４のステップＳ４３、Ｓ４６および図５のステップＳ５４で行う処理を次のように変更することが必要になる。
【００４１】
・ステップＳ４３で行う処理
履歴テーブルＴ１ａから係止位置において最も利用回数が多い機能の種別を入力する。例えば、履歴テーブルＴ１ａの内容が図６に示すものであり、ステップＳ４２で判定した係止位置が係止位置６であるとすると、利用回数が最も多い機能の種別として、「メール機能」を入力することになる。
【００４２】
・ステップＳ４６で行う処理
履歴テーブルＴ１ａに登録されている各機能の各係止位置での利用回数の内の、ステップＳ４３で判定した係止位置と、ステップＳ４５で入力した起動機能種別によって特定される利用回数をインクリメント（例えば、＋１）する。例えば、履歴テーブルＴ１ａの内容が図６に示すものであり、ステップＳ４３で判定した係止位置が係止位置６で、且つ、ステップＳ４５で入力した起動機能種別が「メール」である場合には、履歴テーブルＴ１ａの係止位置６に対応付けて登録されている「メール」の利用回数を「１０回」から「１１回」に変更することになる。
【００４３】
・ステップＳ５４で行う処理
履歴テーブルＴ１ａに登録されている各機能の各係止位置での利用回数の内の、ステップＳ５３で認識した係止位置と、ユーザによって起動することが指定された機能の種別とによって特定される利用回数をインクリメント（例えば、＋１）する。
【００４４】
〔第１の実施例の効果〕
本実施例によれば、ユーザの携帯端末装置１の利用状況の変化に応じて、係止位置において起動させる機能を自動的に変更することが可能になる。その理由は、各係止位置における機能の利用履歴が登録された履歴テーブルＴ１、Ｔ１ａを備え、状態検出部１０９によって検出したユニットの係止位置と履歴テーブルＴ１、Ｔ１ａに登録された機能の利用履歴とに基づいて、起動する機能を決定するようにしているからである。ここで、機能の利用履歴としては、前回起動された機能や、各機能の起動頻度を利用でき、前回起動された機能を利用履歴とした場合には、前回起動された機能を起動することができ、各機能の起動頻度を機能の利用履歴とした場合は、最も頻繁に利用されている機能を起動することが可能になる。
【００４５】
〔本発明の第２の実施例〕
次に、本発明の第２の実施例にかかる携帯端末装置について説明する。図７は本実施例にかかる携帯端末装置１ａの構成例を示すブロック図である。本実施例の携帯端末装置１ａと図１に示した第１の実施例の携帯端末装置１との相違点は、姿勢センサ１１５が追加されている点、振動部１１６が追加されている点、操作部１０８の代わりに操作部１１７を備えている点、および制御部１１４の代わりに制御部１１４ａを備えている点である。
【００４６】
姿勢センサ１１５は、携帯端末装置１ａの姿勢を検出するセンサであり、例えば、３軸加速度センサにより構成される。３軸加速度センサは、感応軸方向に関して、運動加速度成分から重力加速度成分を差し引いた成分を測定する慣性センサである。姿勢センサ１１５は、第１ユニット１０と第２ユニット２０との内の何れか一方に収納されている。
【００４７】
振動部１１６は、制御部１１４ａの制御に従って第１、第２ユニット１０、２０を振動させる。
【００４８】
操作部１１７は、その内部にテンキー１０８ｂを点灯させるＬＥＤ等の照光部を備えている点が、操作部１０８と相違している。
【００４９】
制御部１１４ａは、制御部１１４が備えている機能に加え、起動した機能において利用可能なキー（アサインされたキー）を点灯する機能や、ユーザによって誤った操作入力が行われた場合、振動部１１６を振動させる機能や、携帯端末装置１ａの姿勢に応じて第２ユニット２０の係止位置に対応した機能を起動させるか否かを制御する機能を備えている。
【００５０】
〔第２の実施例の動作の説明〕
次に、本実施例の動作について説明する。
【００５１】
制御部１１４ａは、第２ユニット２０がスライドされ、係止位置１〜係止位置６の何れかにおいて係止されたことを検出すると（図８のステップＳ８１、Ｓ８２が共にＹＥＳ）、姿勢センサ１１５の検出結果に基づいて、携帯端末装置１ａの姿勢が、使用時に取り得る姿勢になっているか否かを判定する（ステップＳ８３）。例えば、携帯端末装置１ａの長軸方向の地面に対する傾きが所定角度未満であれば（携帯端末装置１ａが寝ている状態であれば）、使用時に取り得る姿勢になっていないと判定し、所定角度以上であれば、使用時に取り得る姿勢になっていると判定する。
【００５２】
そして、使用時に取り得る姿勢になっていると判定した場合（ステップＳ８３がＹＥＳ）は、前述した図４のステップＳ４３〜Ｓ４７と同様の処理を行って所定の機能を起動した後（ステップＳ８４）、操作部１１７内に設けられている照光部を制御することにより、上記起動した機能において利用可能なキーを点灯させる（ステップＳ８５）。
【００５３】
これに対して、使用時に取り得る姿勢になっていないと判定した場合（ステップＳ８３がＮＯ）は、機能の起動処理は行わず、処理終了となる。このように、携帯端末装置１ａの姿勢が使用時に取り得る姿勢になっていない場合は、ユニットがスライドしても機能の起動処理を行わないようにしているので、例えば、鞄などに収納されている状態で、第１、第２ユニット１０、２０がスライドしても誤動作を防ぐことが可能になる。
【００５４】
更に、本実施例の制御部１１４ａは、図９のフローチャートに示す処理も行っている。制御部１１４ａは、操作部１１７に設けられているキーが押下されると、そのキーが現在起動されている機能において利用可能なキーであるか否かを判定する（ステップＳ９１）。そして、利用可能なキーであると判定した場合（ステップＳ９１がＹＥＳ）は、入力操作に応じた処理（例えば、チャンネル切り替え、音量調整など）を行い（ステップＳ９２）、利用可能なキーではないと判定した場合（ステップＳ９１がＮＯ）は、振動部１１６を振動させることにより、ユーザに対して誤操作である旨を報知する（ステップＳ９３）。
【００５５】
〔第２の実施例の効果〕
本実施例は、携帯端末装置１ａの姿勢も考慮して起動する機能を決定するようにしているので、誤動作を防止することが可能になるという効果を得ることができる。
【００５６】
〔その他の実施例〕
上述した各実施例では、スライド型の携帯電話機に本発明を適用したが、これに限定されるものではなく、第１ユニットと第２ユニットとが開閉自在に接続された折り畳み型の携帯端末装置や、第１ユニットと第２ユニットが回動構造により結合され、第１ユニットが第２ユニットに対して回転するリボルバー型の携帯端末装置にも適用することができる。
【００５７】
また、上述した各実施例では、ユニット数が２個の携帯電話機に本発明を適用したが、ユニット数が３個以上の携帯端末装置にも適用できる。
【００５８】
また、本発明の携帯端末装置は、その有する機能をハードウェア的に実現できることは勿論、コンピュータとプログラムとで実現することもできる。プログラムは、磁気ディスク、半導体メモリなどのコンピュータ可読記録媒体に記録されて提供され、コンピュータの立ち上げ時などにコンピュータに読み取られ、そのコンピュータの動作を制御することにより、そのコンピュータを前述した各実施例の携帯端末装置として機能させ、前述した処理を行わせる。
【産業上の利用可能性】
【００５９】
本発明は、第１ユニットと第２ユニットとが相対位置を変更可能に接続され、且つ複数の係止位置で係止可能にされたスライド型、折り畳み型、リボルバー型の携帯電話機などの携帯端末装置に適用すると好適である。
【図面の簡単な説明】
【００６０】
【図１】本発明の第１の実施例にかかる携帯端末装置１の構成例を示すブロック図である。
【図２】本発明の第１の実施例にかかる携帯端末装置１の平面図および側面図である。
【図３】履歴テーブルＴ１および起動機能テーブルＴ２の内容例を示す図である。
【図４】ユニットのスライド時の制御部１１４の処理例を示すフローチャートである。
【図５】ユーザによって起動する機能が指示されたときの制御部１１４の処理例を示すフローチャートである。
【図６】履歴テーブルＴ１ａの内容例を示す図である。
【図７】本発明の第２の実施例にかかる携帯端末装置１ａの構成例を示すブロック図である。
【図８】ユニットのスライド時の制御部１１４ａの処理例を示すフローチャートである。
【図９】キー押下時の制御部１１４ａの処理例を示すフローチャートである。
【符号の説明】
【００６１】
１、１ａ…携帯端末装置
１０…第１ユニット
２０…第２ユニット
１０１…無線通信部
１０２…放送受信部
１０３…カメラ部
１０３ａ、１０３ｂ…カメラ
１０４…音声処理部
１０５…マイク
１０６…スピーカ
１０７…表示部
１０８、１１７…操作部
１０９…状態検出部
１１０、１１１…スライドセンサ
１１２…スピーカ部
１１３…記憶部
１１４、１１４ａ…制御部
１１５…姿勢センサ
１１６…振動部
Ｔ１、Ｔ１ａ…履歴テーブル
Ｔ２…起動機能テーブル
【図１】
0005109547.tif 000002
【図２】
0005109547.tif 000003
【図３】
0005109547.tif 000004
【図４】
0005109547.tif 000005
【図５】
0005109547.tif 000006
【図６】
0005109547.tif 000007
【図７】
0005109547.tif 000008
【図８】
0005109547.tif 000009
【図９】
0005109547.tif 000010